(57)【要約】【課題】耐久性や耐候性に優れかつベランダを通して建物内部に外部から進入する騒音を低減できるベランダ騒音低減構造を提供する。【解決手段】ベランダ２に、このベランダ２の手摺３より上方の上部空間の少なくとも一部を遮蔽可能な遮蔽板５が、前記上部空間に対して出退可能に設けられている。上部空間を遮蔽板５によって遮蔽することによって、外部から進入してくる騒音の一部は遮蔽板５によって反射されるので、騒音を低減できる。また、遮蔽板５は騒音を反射することができれば、どのような材質のものでもよく、従来のように多孔質の材料を使用する必要がないので、特別なメンテナンスを施す必要もなく、耐久性や耐候性に優れたものとなる。【選択図】        図４
2004162274.tif 000002
【特許請求の範囲】
【請求項１】
ベランダを通して建物内部に外部から進入する騒音を低減するベランダ騒音低減構造であって、
前記ベランダには、このベランダの手摺より上方の上部空間の少なくとも一部を遮蔽可能な遮蔽板が、前記上部空間に対して出退可能に設けられていることを特徴とするベランダ騒音低減構造。
【請求項２】
請求項１に記載のベランダ騒音低減構造において、
前記遮蔽板は、ベランダの上部に取り付けられたシャッタケースに収納可能に設けられたシャッタであることを特徴とするベランダ騒音低減構造。
【請求項３】
請求項１に記載のベランダ騒音低減構造において、
前記遮蔽板は、ベランダの上部に取り付けられたブラインドであることを特徴とするベランダ騒音低減構造。
【請求項４】
ベランダを通して建物内部に外部から進入する騒音を低減するベランダ騒音低減構造であって、
前記ベランダの上方の天井部には、この天井部の天井面に対してベランダの外側を向くように傾斜して、外部からの騒音の少なくとも一部を、前記ベランダに面して形成された開口部より外側に反射する反射面が設けられていることを特徴とするベランダ騒音低減構造。
【請求項５】
請求項４に記載のベランダの騒音低減構造において、
前記反射面は、前記騒音を乱反射することを特徴とするベランダ騒音低減構造。
【請求項６】
請求項４または５に記載のベランダ騒音低減構造において、前記反射面と天井面との間には、前記ベランダに面して形成された開口部を開閉可能とするシャッタのシャッタケースが設けられていることを特徴とするベランダ騒音低減構造。
【発明の詳細な説明】
【０００１】
【発明の属する技術分野】
本発明はマンション等のベランダに設けられて、外部から建物内へ進入する騒音を低減するベランダ騒音低減構造に関する。
【０００２】
【従来の技術】
鉄道線路や幹線道路に近接するマンション等では、鉄道線路や幹線道路で発生する騒音がマンション内の居住空間に響き易いので、例えば窓を二重ガラスにしたり外壁の防音性を高めるなど、高規格化によって防音性能を向上させていた。しかし、高規格化に伴って建物の建設費が増大してしまうという問題があるので、例えば、建物のベランダの天井部に吸音材を取り付け、この吸音材によって、騒音の一部を吸音することで防音性を高めるようにした技術がある（例えば、非特許文献１、非特許文献２参照。）。
【０００３】
【非特許文献１】
「外部騒音測定時における建物の反射・遮蔽の影響」日本建築学会大会学術講演梗概集  ２００１年９月ｐ１６９−１７２
【非特許文献２】
「沿線建物のファザードの遮音性向上について」日本建築学会大会学術講演梗概集  ２００１年９月ｐ１７３−１７６
【０００４】
【発明が解決しようとする課題】
ところが、上記のような建物のベランダの天井部に吸音材を取り付ける従来の技術では、吸音材の耐久性・耐候性を考慮しなければならない。つまり、吸音材は多孔質の材料で形成されているため、孔に微細な塵埃や水分が詰まり易く、このため、ベランダ等の外部に晒されている部分に吸音材を設ける場合、吸音材の耐久性・耐候性を確保するには、十分なメンテナンスを施さなければならなないという問題がある。
【０００５】
本発明は上記事情に鑑みてなされたもので、耐久性や耐候性に優れかつベランダを通して建物内部に外部から進入する騒音を低減できるベランダ騒音低減構造を提供することを目的としている。
【０００６】
【課題を解決するための手段】
上記目的を達成するために、請求項１に記載の発明は、例えば図１〜図４に示すように、ベランダ２を通して建物内部に外部から進入する騒音を低減するベランダ騒音低減構造であって、
前記ベランダ２には、このベランダ２の手摺３より上方の上部空間の少なくとも一部を遮蔽可能な遮蔽板５が、前記上部空間に対して出退可能に設けられていることを特徴とする。
【０００７】
ここで、遮蔽板は、騒音を反射できるものであれば、どのような材質のもので形成してもよいが、透光性を有する材料で遮蔽板を形成すれば、遮蔽状態でも採光性を確保できる。
また、遮蔽板をベランダの手摺より上方の上部空間に対して出退可能に設ける場合、例えば、ベランダに縦レールを設け、この縦レールに沿って遮蔽板を、前記上部空間と手摺の内側との間で昇降させるようにすればよい。
【０００８】
請求項１に記載の発明によれば、ベランダの手摺より上方の上部空間の少なくとも一部を遮蔽板によって遮蔽することによって、外部から進入してくる騒音の一部は遮蔽板によって反射されるので、騒音を低減できる。
また、遮蔽板は騒音を反射することができれば、どのような材質のものでもよく、従来のように多孔質の材料を使用する必要がないので、特別なメンテナンスを施す必要もなく、耐久性や耐候性に優れたものとなる。
さらに、遮蔽板をベランダの手摺より上方の上部空間から退避することによってこの上部空間を開放できるので、採光性や通風性も容易に確保できる。
【０００９】
請求項２に記載の発明は、例えば図５に示すように、請求項１に記載のベランダ騒音低減構造において、
前記遮蔽板は、ベランダ２の上部に取り付けられたシャッタケース１２に収納可能に設けられたシャッタ１１であることを特徴とする。
【００１０】
なお、ベランダの手摺には、シャッタを下降させて前記上部空間を遮蔽した際に、シャッタの下端部が係合して、シャッタの巻き上げを防止する係合部を設けるのが望ましい。
【００１１】
請求項２に記載の発明によれば、遮蔽板がシャッタであるので、シャッタケースをベランダの上部に取り付けることによって、ベランダの手摺より上方の上部空間に遮蔽板を容易に設けることができ、また、シャッタを巻き上げてシャッタケースに収納することによって、ベランダの手摺より上方の上部空間を容易に開放できる。
【００１２】
請求項３に記載の発明は、例えば図６に示すように、請求項１に記載のベランダ騒音低減構造において、
前記遮蔽板は、ベランダ２の上部に取り付けられたブラインド１６であることを特徴とする。
【００１３】
なお、ベランダの手摺には、ブラインドを下降させて前記上部空間を遮蔽した際に、ブラインドの下端部が係合して、ブラインドの巻き上げを防止する係合部を設けるのが望ましい。
また、ブラインドは軽量であるので、風等で飛散しないように、ベランダに飛散防止枠等を設けるのが望ましい。
【００１４】
請求項３に記載の発明によれば、遮蔽板がブラインドであるので、ベランダの手摺より上方の上部空間に遮蔽板を容易に設けることができ、また、ブラインドを引き上げることによって、ベランダの手摺より上方の上部空間を容易に開放できる。
【００１５】
請求項４に記載の発明は、例えば図７および図８に示すように、ベランダ２を通して建物内部に外部から進入する騒音を低減するベランダ騒音低減構造であって、
前記ベランダ２の上方の天井部２ａには、この天井部２ａの天井面に対してベランダ２の外側を向くように傾斜して、外部からの騒音の少なくとも一部を、前記ベランダ２に面して形成された開口部１ａより外側に反射する反射面２０ａが設けられていることを特徴とする。
【００１６】
ここで、前記反射面は、平面状でもよく曲面状でもよい。また、反射面は一つの平面や曲面で形成されていてもよく、複数の平面や曲面で形成されていてもよい。
【００１７】
請求項４に記載の発明によれば、外部から進入してくる騒音の少なくとも一部は反射面によって開口部より外側に反射されるので、騒音を低減できる。つまり、上記のような反射面がない通常の建物では、斜め下方から伝搬してくる騒音はベランダの天井部で反射して建物内に開口部を通して進入するが、本発明ではこの斜め下方から伝搬してくる騒音の少なくとも一部が反射面によって開口部の外側に反射されるので、騒音を低減できる。
また、反射面は騒音を反射することができれば、どのような材質のもので形成してもよく、従来のように多孔質の材料を使用する必要がないので、特別なメンテナンスを施す必要もなく、耐久性や耐候性に優れたものとなる。
さらに、反射面はベランダ上方の天井部に設けられているので、採光性や通風性も容易に確保できる。
【００１８】
請求項５に記載の発明は、例えば図１０に示すように、請求項４に記載のベランダの騒音低減構造において、
前記反射面２０ａは、前記騒音を乱反射することを特徴とする。
【００１９】
請求項５に記載の発明によれば、前記反射面で騒音が乱反射するので、反射面で反射して建物の内部に開口部を通して進入する騒音をさらに低減できる。
つまり、反射面で騒音の少なくとも一部が開口部の外側に反射されるが、反射面で開口部に向けて反射しようとする騒音もある。この騒音が反射面で乱反射するので、乱反射した騒音の一部は、開口部より外側に反射するものもあり、この結果、建物内部に開口部を通して進入する騒音をさらに低減できる。
【００２０】
請求項６に記載の発明は、例えば図１１に示すように、請求項４または５に記載のベランダ騒音低減構造において、
前記反射面２０ａと天井面との間には、前記ベランダ２に面して形成された開口部１ａを開閉可能とするシャッタ１１のシャッタケース１２が設けられていることを特徴とする。
【００２１】
請求項６に記載の発明によれば、前記反射面と天井面との間にシャッタケースが設けられているので、このシャッタケースを外部から隠すことができ、よってシャッターケースによって建物の外観を損なうのを防止できる。
また、シャッタによってベランダへの出入口となる開口部を開閉可能できるので、シャッタを閉じることによって、夜等は外部からの騒音の進入をさらに低減できるとともに、防犯上優れたものとなる。
【００２２】
【発明の実施の形態】
以下、図面を参照して本発明のベランダ騒音低減構造の実施の形態について説明する。
（第１の実施の形態）
図１は本発明に係るベランダ騒音低減構造を備えたマンション等の建物の概略側面図である。
この図に示すように、本実施の形態では、建物１に近接してレールＲが敷設されており、このレールＲ上を走行する電車Ｄから騒音が発生し、この騒音が建物１に向けて斜め上方に伝搬する。
【００２３】
建物１は、レール側に向けてベランダ２が各階に設けられており、各ベランダ２には手摺３が設けられている。また、各階のベランダ２の上方には、それより上階のベランダの床が建物１から張出しており、上階のベランダの床の下面が各階のベランダの天井部２ａとなっている。なお、最上階のベランダ２では、それより上階にベランダがないので、建物１から天井部２ａが張出している。
【００２４】
各ベランダ２には、このベランダ２の手摺３より上方の上部空間の少なくとも一部を遮蔽可能な遮蔽板５が、前記上部空間に対して出退可能に設けられており、この遮蔽板５は前記上部空間から下方に移動することによって前記上部空間から退避してこの上部空間を開放し、上方に移動することによって前記上部空間に進出してこの上部空間を遮蔽するようになっている。
すなわち、図２および図３に示すように、手摺３と天井部２ａとの間には上下２段の遮蔽板５ａ，５ｂが設けられており、これら遮蔽板５ａ，５ｂはレール７によって上下動可能に支持されている。レール７は以下のようにして設けられている。
すなわち、図３および図４に示すように、ベランダ２には上下に長尺な複数の支持フレーム８…が横方向に所定間隔でかつ平行に立設されており、各フレーム８の下部には、壁部９が設けられている。
【００２５】
支持フレーム８はベランダ２の床面から天井部２ａの近傍まで延在するものであり、この支持フレーム８の側面と前記壁部９の側面には、レール７が固定されている。
このレール７は、支持フレーム８に固定されて上下方向に延在する縦レール部７ａと、この縦レール部７ａからベランダ２の外方に向けて延出する上下４本の第１横レール部７ｂと、縦レール部７ａの下部から第１横レール部７ｂとは逆側、すなわち建物側に延出する上下２本の第２横レール部７ｃとを備えている。第１横フレーム部７ｂは支持フレーム８に固定されており、第２横フレーム部７ｃは壁部９に固定されている。
なお、ベランダ２の両端に位置する支持フレーム８，８および両端に位置する壁部９には、その内側を向く側面にレール７が固定され、中央側に位置する２本の支持フレーム８，８および２個の壁部９にはその両側面にそれぞれレール７が固定されている。
【００２６】
第１横レール部７ｂの先端部には下方に突出する係合部７ｄが形成されている。また、上２本の第１横レール部７ｂ，７ｂ間の距離は、遮蔽板５ａの高さより若干短く設定されており、下２本の第１横レール部７ｂ，７ｂ間の距離は、遮蔽板５ｂの高さより若干短く設定されている。
さらに、第２横レール部７ｃ，７ｃ間の距離は、遮蔽板５ａ，５ｂの高さより若干短く設定されており、また第２横レール部７ｃの長さは、遮蔽板５ａ，５ｂ２枚分の厚さより長くなっている。
【００２７】
一方、遮蔽板５ａ，５ｂの側端部には、前記レール７に案内されて移動可能な移動部１０，１０が取付けられており、この移動部１０，１０間の距離は、上下２本ずつの第１横レール部７ｂ，７ｂ間および上下の第２横レール部７ｃ，７ｃ間の距離と等しく設定されている。
そして、このような遮蔽板５ａ，５ｂは、その移動部１０，１０がレール７に沿って移動することによって、上下に移動するようになっており、移動部１０，１０が第１横レール部７ｂ，７ｂに沿って外側に若干移動して、係合部７ｄ，７ｄに係合することによって、手摺３より上方の上部空間に遮蔽板５ａ，５ｂが保持されるようになっている。
【００２８】
また、遮蔽板５ａ，５ｂはその移動部１０，１０が第１横レール部７ｂ，７ｂに沿って内側に若干移動し、さらに縦レール部７ａに沿って下降することによって、前記上部空間を開放し、縦レール部７ａの下部から第２横レール部７ｃ，７ｃに沿って内側に横移動することによって、壁部９，９間に収納されるようになっている。
なお、遮蔽板５ａ，５ｂには、図示は省略するが、取手が取付けられており、この取手を手で掴んで上下動、横移動させることによって、遮蔽板５ａ，５ｂが上下動、横移動するようになっている。
【００２９】
本実施の形態のベランダ騒音低減構造では、ベランダ２の手摺３より上方の上部空間を遮蔽板５ａ，５ｂによって遮蔽することによって、外部から進入してくる騒音の一部が遮蔽板５ａ，５ｂによって反射されるので、騒音を低減できる。つまり、図１に示すように、騒音（実線の矢印で示す。）は斜め下方から伝搬してきて、その一部が遮蔽板５ａ，５ｂで反射（実線の矢印で示す。）され、残りの一部が遮蔽板５ａ，５ｂや手摺３等を透過し、天井部２ａで反射して建物内部に進入する（破線の矢印で示す。）ので、遮蔽板５，５ｂで反射した騒音の分だけ建物内に進入する騒音を低減できる。
【００３０】
また、遮蔽板５ａ，５ｂは騒音を反射することができれば、どのような材質のものでもよく、従来のように多孔質の材料を使用する必要がないので、特別なメンテナンスを施す必要もなく、耐久性や耐候性に優れたものとなる。
さらに、遮蔽板５ａ，５ｂを下降させることによってベランダ２の手摺３より上部空間を開放できるので、採光性や通風性も容易に確保できる。なお、遮蔽板５ａ，５ｂを例えば透明なアクリル板で形成すれば、前記上部空間を遮蔽板５ａ，５ｂによって遮蔽した状態においても、採光性を確保できる。
加えて、２枚の遮蔽板５ａ，５ｂを備えているので、前記上部空間の開放量を調整することができる。
【００３１】
（第２の実施の形態）
図５は第２の実施の形態を示すものである。第２の実施の形態は、第１の実施の形態における遮蔽板５を、シャッタ１１で構成したものである。
すなわち、建物の各階のベランダ２の天井部２ａには、シャッターケース１２が取付けられており、このシャッタケース１２の正面部は、天井部２ａから垂設された化粧壁１３によって覆われており、これによってシャッターケース１２が外部から見えないようになっている。
シャッタ１１は、シャッタケース１２内に巻き上げられた状態で収納されるようになっており、収納することによって、手摺３より上方の上部空間を容易に開放できる。
また、手摺３の上端面には係合部１４が設けられており、シャッタ１１の下端部には係合部１４に係合する被係合部１５が取付けられている。
【００３２】
本実施の形態によれば、シャッタ１１によって手摺３より上方の上部空間を遮蔽することによって、外部から進入してくる騒音の一部がシャッタ１１によって反射されるので、騒音を低減できる。
また、シャッタは市販のものを使用することができ、容易に取付けることができるとともに、特別なメンテナンスを施す必要もなく、耐久性や耐候性に優れたものとなる。
さらに、シャッタ１１を巻き上げてシャッタケース１２に収納することによって、ベランダの手摺３より上方の上部空間を容易に開放できる。
加えて、シャッタ１１を降ろした際には、その被係合部１５を手摺３に設けられた係合部１４に係合することによって、シャッタ１１を遮蔽状態に保持できる。
【００３３】
（第３の実施の形態）
図６は第３の実施の形態を示すものである。第３の実施の形態は、第１の実施の形態における遮蔽板５を、ブラインド１６で構成したものである。
ブラインド１６は、ヘッドボックス１６ａから複数本のラダーコード（図示略）を介して多数段のスラット１６ｂが吊下支持され、同ラダーコードの下端にボトムレール（図示略）が吊下支持され、さらに、各スラット１６ｂに複数本の昇降コード（図示略）が挿通され、同昇降コードの一端が前記ボトムレールに接続され、他端部はヘッドボックス１６ａ内に案内されて、操作される周知の横型のブラインドである。
このようなブラインド１６は、ベランダ２の天井部２ａにヘッドボックス１６ａが取付けられ、このヘッドボックス１６ａの正面部は、天井部２ａから垂設された化粧壁１３によって覆われており、これによってヘッドボックス１６ａが外部から見えないようになっている。
【００３４】
また、ブラインド１６は、飛散防止枠１７によって両側が支持されており、この飛散防止枠１７によって、ブラインド１６が風等によって飛散するのを防止している。なお、飛散防止枠１７は、例えば手摺３の上面とベランダ２の天井部２ａとの間に横方向に所定間隔で設ければよく、隣り合う飛散防止枠１７，１７間にブラインド１６を配置する。
また、手摺３の上端面には係合部１８が設けられており、ブラインド１６のボトムレールには係合部１８に係合する被係合部１９が取付けられている。
【００３５】
本実施の形態によれば、ブラインド１６によって手摺３より上方の上部空間を遮蔽することによって、外部から進入してくる騒音の一部がブラインド１６によって反射されるので、騒音を低減できる。
また、ブラインドは市販のものを使用することができ、容易に取付けることができるとともに、特別なメンテナンスを施す必要もなく、耐久性や耐候性に優れたものとなる。
さらに、ブラインド１６を引き上げてヘッドボックス１６ａに収納することによって、ベランダの手摺３より上方の上部空間を容易に開放できる。
加えて、ブラインド１６を降ろした際には、その被係合部１９を手摺３に設けられた係合部１８に係合することによって、ブラインド１６を遮蔽状態に保持できる。
【００３６】
（第４の実施の形態）
図７および図８は第４の実施の形態を示すものである。これらの図に示すように、建物１の各階にあるベランダ２の天井部２ａには、反射板２０が取付けられており、この反射板２０の下面が反射面２０ａとされている。
この反射面２０ａは、曲面となっており、天井部２ａの天井面に対してベランダ２の外側を向くように傾斜している。そして、この反射面２０ａは、外部から進入する騒音の少なくとも一部を外方に反射するようになっている。つまり、騒音の一部を建物１のベランダに面して形成された窓等の開口部１ａより外側に反射するようになっている。
なお、反射面は、上記のような曲面状の反射面２０ａに限ることなく、例えば、図９に示すように、鋸状の反射板２１をベランダ２の天井部２ａに取付け、この反射板２１の下面のうち、天井部２ａの天井面に対してベランダ２の外側を向くように傾斜している傾斜面を反射面２１ａとしてもよい。
また、図１０に示すように、ベランダ２の天井部に半楕円球状の曲面部２２を形成し、この曲面部２２のうち天井面に対してベランダ２の外側を向くように傾斜している傾斜面を反射面２２ａとしてもよい。
【００３７】
本実施の形態によれば、外部から進入してくる騒音の少なくとも一部は反射面２０ａ，２１ａ，２２ａによって開口部１ａより外側に反射されるので、騒音を低減できる。つまり、上記のような反射面２０ａ，２１ａ，２２ａがない通常の建物では、斜め下方から伝搬してくる騒音はベランダ２の天井部２ａで反射して建物１内に、開口部１ａを通して進入するが、本実施の形態ではこの斜め下方から伝搬してくる騒音の少なくとも一部が反射面２０ａ，２１ａ，２２ａによって開口部１ａより外側に反射されるので、騒音を低減できる。
また、反射面２０ａ，２１ａを形成する反射板２０，２１は騒音を反射することができれば、どのような材質のもので形成してもよく、従来のように多孔質の材料を使用する必要がないので、特別なメンテナンスを施す必要もなく、耐久性や耐候性に優れたものとなる。また、半楕円球状の曲面部２２は、ベランダを施工する際に形成すればよく、例えばコンクリートで形成されるので、特別なメンテナンスを施す必要もなく、耐久性や耐候性に優れたものとなる。
さらに、反射面２０ａ，２１ａ，２２ａはベランダ上方の天井部に設けられているので、採光性や通風性も容易に確保できる。
【００３８】
（第５の実施の形態）
図１１は第５の実施の形態を示すものである。第５の実施の形態では、第４の実施の形態における反射面２０ａが、騒音を乱反射するようになっている。騒音を乱反射させるには、反射面２０ａの表面の凹凸の周期を、騒音の波の１波長よりも大きく設定すればよい。
【００３９】
本実施の形態によれば、反射面２０ａで騒音を乱反射するので、反射面２０ａで反射して建物の内部に開口部を通して進入する騒音をさらに低減できる。
つまり、反射面２０ａで騒音の少なくとも一部が開口部１ａの外側に反射されるが、反射面２０ａで開口部１ａに向けて反射しようとする騒音もある。この騒音が反射面２０ａで乱反射するので、乱反射した騒音の一部（実線矢印Ａ）は、開口部１ａより外側に反射するものもあり、この結果、建物内部に開口部１ａを通して進入する騒音（破線矢印Ｂ）をさらに低減できる。
【００４０】
（第６の実施の形態）
図１２は第６の実施の形態を示すものである。第６の実施の形態では、第４または第５の実施の形態において、反射面２０ａを形成する反射板２０と、ベランダ２の天井部２ａとの間に、シャッターケース１２を設けたものである。このシャッターケース１２には、シャッタ１１が巻き上げられた状態で収納されるようになっている。このシャッタ１１は、ベランダ２への出入口となる開口部１ａを開閉するものである。
【００４１】
本実施の形態によれば、第４または第５の実施の形態と同様の効果を得られるには勿論のこと、反射板２０と天井部２ａとの間にシャッタケース１２が設けられているので、このシャッタケース１２を外部から隠すことができ、よってシャッターケース１２によって建物１の外観を損なうのを防止できる。
また、シャッタ１１によってベランダ２への出入口となる開口部１ａを開閉可能できるので、シャッタ１１を閉じることによって、夜等は外部からの騒音の進入をさらに低減できるとともに、防犯上優れたものとなる。
【００４２】
【発明の効果】
以上説明したように、請求項１に記載の発明によれば、ベランダの手摺より上方の上部空間を遮蔽板によって遮蔽することによって、外部から進入してくる騒音を低減できる。
また、遮蔽板は騒音を反射することができれば、どのような材質のものでもよいので、特別なメンテナンスを施す必要もなく、耐久性や耐候性に優れたものとなる。
さらに、遮蔽板をベランダの手摺より上方の上部空間から退避することによって、この上部空間を開放できるので、採光性や通風性も容易に確保できる。
【００４３】
請求項２に記載の発明によれば、遮蔽板がシャッタであるので、ベランダの手摺より上方の上部空間に遮蔽板を容易に設けることができ、また、シャッタを巻き上げてシャッタケースに収納することによって、ベランダの手摺より上方の上部空間を容易に開放できる。
【００４４】
請求項３に記載の発明によれば、遮蔽板がブラインドであるので、ベランダの手摺より上方の上部空間に遮蔽板を容易に設けることができ、また、ブラインドを引き上げることによって、ベランダの手摺より上方の上部空間を容易に開放できる。
【００４５】
請求項４に記載の発明によれば、外部から進入してくる騒音の少なくとも一部が反射面によって開口部より外側に反射されるので、建物内部に侵入する騒音を低減できる。
また、反射面は騒音を反射することができれば、どのような材質のもので形成してもよいので、特別なメンテナンスを施す必要もなく、耐久性や耐候性に優れたものとなる。
さらに、反射面はベランダ上方の天井部に設けられているので、採光性や通風性も容易に確保できる。
【００４６】
請求項５に記載の発明によれば、前記反射面で騒音が乱反射するので、反射面で反射して建物の内部に開口部を通して進入する騒音をさらに低減できる。
【００４７】
請求項６に記載の発明によれば、反射面と天井面との間にシャッタケースが設けられているので、このシャッタケースを外部から隠すことができ、よってシャッターケースによって建物の外観を損なうのを防止できる。
また、シャッタを閉じることによって、夜等は外部からの騒音の進入をさらに低減できるとともに、防犯上優れたものとなる。
【図面の簡単な説明】
【図１】本発明の第１の実施の形態を示すもので、ベランダ騒音低減構造を備えた建物の概略側面図である。
【図２】同、遮蔽板とベランダを示す側面図である。
【図３】同、遮蔽板とレールを示す斜視図である。
【図４】同、遮蔽板とレールを示す側面図である。
【図５】本発明の第２の実施の形態を示すもので、ベランダの側面図である。
【図６】本発明の第３の実施の形態を示すもので、ベランダの側面図である。
【図７】本発明の第４の実施の形態を示すもので、建物の側面図である。
【図８】同、ベランダの要部の側面図である。
【図９】同、反射面の変形例を示すベランダの要部の側面図である。
【図１０】同、反射面の変形例を示すベランダの要部の側面図である。
【図１１】本発明の第５の実施の形態を示すもので、ベランダの要部の側面図である。
【図１２】本発明の第６の実施の形態を示すもので、ベランダの側面図である。
【符号の説明】
１  建物
１ａ  開口部
２  ベランダ
２ａ  天井部
３  手摺
５，５ａ，５ｂ  遮蔽板
１１  シャッタ
１２  シャッターケース
１６  ブラインド
２０ａ，２１ａ，２２ａ  反射面
【図１】
2004162274.tif 000003
【図２】
2004162274.tif 000004
【図３】
2004162274.tif 000005
【図４】
2004162274.tif 000006
【図５】
2004162274.tif 000007
【図６】
2004162274.tif 000008
【図７】
2004162274.tif 000009
【図８】
2004162274.tif 000010
【図９】
2004162274.tif 000011
【図１０】
2004162274.tif 000012
【図１１】
2004162274.tif 000013
【図１２】
2004162274.tif 000014